(57)【要約】【課題】全自動洗濯乾燥機が乾燥行程を行っているときに自動的に換気を行うこと。【解決手段】洗濯乾燥行程の進行状況を送信する洗濯乾燥行程送信部１２を備えた全自動洗濯乾燥機１１が、ネット家電制御装置１３に洗濯乾燥行程を送信し、ネット家電制御装置１３は全自動洗濯機１１が乾燥行程になったときに換気装置１４に換気開始の信号を送信し、乾燥行程以外の行程になったときに換気装置１４に換気停止の信号を送信することにより、全自動洗濯乾燥機１１が乾燥行程を行っているときのみ自動的に換気を行うようにすることができ、湿気を効率よく換気することが可能となる。【選択図】図１
2005110912.tif 000002
【特許請求の範囲】
【請求項１】
洗濯乾燥行程の進行状況を送信する洗濯乾燥行程送信部を備えた全自動洗濯乾燥機と、前記全自動洗濯乾燥機から送られてきた洗濯乾燥行程の進行状況に応じて換気の開始／停止のための信号を送信するネット家電機器制御装置と、前記ネット家電制御装置からの換気の開始／停止信号を受信し換気の開始／停止を行う換気装置により構成されることを特徴とした洗濯乾燥システム。
【請求項２】
全自動洗濯乾燥機の洗濯乾燥行程送信部は洗濯乾燥行程が洗い開始、すすぎ開始、脱水開始、乾燥開始、行程終了と変化するたびに洗濯乾燥行程の進行状況を送信するものとした請求項１記載の洗濯乾燥システム。
【請求項３】
ネット家電機器制御装置は全自動洗濯乾燥機から乾燥行程開始の信号を受けたときに換気の開始信号を送信し、行程終了の信号を受けたときに換気停止信号を送信するものとした請求項１〜２のいずれか１項に記載の洗濯乾燥システム。
【請求項４】
換気装置は、ネット家電制御装置より換気開始／終了信号を受けて電源のＯＮ／ＯＦＦを行う電源制御部と、電源がＯＮになったときに換気を行う換気扇部とからなることを特徴とした請求項１〜３のいずれか１項に記載の洗濯乾燥システム。
【請求項５】
請求項１〜４のいずれか１項記載の洗濯乾燥システムのネット家電機器制御装置の機能の少なくとも一部をコンピュータで実現するプログラム。
【発明の詳細な説明】
【技術分野】
【０００１】
本発明は全自動洗濯乾燥機と換気装置とをネット家電機器制御装置により連動させるものとした洗濯乾燥システムに関するものである。
【背景技術】
【０００２】
従来、乾燥機の運転により排出される湿気を自動的に換気するために、乾燥機の電源が入ることにより、換気扇のスイッチがＯＮし、乾燥機の電源が切れることにより、換気扇のスイッチがＯＦＦになるようにしている（例えば、特許文献１参照）。
【０００３】
図４は、特許文献１に記載された従来の乾燥システムを示すものである。図４に示すように、衣類乾燥機４１と、衣類乾燥機用コンセント４２と、電流検知センサー４３と、換気扇４４とから構成されている。
【特許文献１】実開平４−１２５８８２号公報
【発明の開示】
【発明が解決しようとする課題】
【０００４】
しかしながら、前記従来の構成では、衣類乾燥機４１が動作しているか、停止しているかを衣類乾燥機用コンセント４２に流れる電流を電流検知センサー４３で検知し、電流が流れているときには、衣類乾燥機４１が動作しているものと判断し、換気扇４４のスイッチをＯＮし、電流が流れていないときには、衣類乾燥機４１が動作していないものと判断して、換気扇４４のスイッチをＯＦＦにするというものなので、湿気をおびた排気を出す衣類乾燥機４１が動作しているときに換気扇のスイッチを入れ忘れたり、衣類乾燥機４１の動作が終了したときに換気扇４４のスイッチを切り忘れたりすることは無いが、近年主流になりつつある全自動洗濯乾燥機を使用する場合には、全自動洗濯乾燥機の電源コードを衣類乾燥機用コンセントに指すことになり、本来換気は必要無い、洗い・すすぎ・脱水行程の時にも、換気扇４４が回り、電気を消費するという課題を有していた。
【０００５】
本発明は、前記従来の課題を解決するもので、全自動洗濯乾燥機が乾燥行程を行っている間だけ換気を行い、不要な換気を行うことなく全自動洗濯乾燥機が設置されている室内の湿度が上昇するのを防ぐものとした洗濯乾燥システムを提供することを目的とする。
【課題を解決するための手段】
【０００６】
前記従来の課題を解決するために、本発明の洗濯乾燥システムは、洗濯乾燥行程の進行状況を送信する全自動洗濯乾燥機と、前記全自動洗濯乾燥機から送られてきた洗濯乾燥行程の進行状況に応じて換気の開始／停止のための信号を送信するネット家電機器制御装置と、前記ネット家電制御装置からの換気の開始／停止信号を受信し換気の開始／停止を行う換気装置により構成されることを特徴としたものである。
【０００７】
これによって、前記全自動洗濯機の洗濯乾燥行程ごとに前記換気装置の運転開始／停止を制御することができるようになり、全自動洗濯乾燥機が動作している間中ではなく、乾燥行程を開始したときに換気を開始し、乾燥行程が終了したときに換気を停止することが可能となる。
【発明の効果】
【０００８】
本発明の洗濯乾燥システムは、全自動洗濯乾燥機が乾燥行程を行っているときのみ換気装置を動作させることができるため、湿気を排出する乾燥行程時に換気を行うのを忘れる事が無く、また、不要な換気装置の運転を避けることができ、無駄な電気の消費を抑制することができる。
【発明を実施するための最良の形態】
【０００９】
第１の発明は洗濯乾燥行程の進行状況を送信する洗濯乾燥行程送信部を備えた全自動洗濯乾燥機と、前記全自動洗濯乾燥機から送られてきた洗濯乾燥行程の進行状況に応じて換気の開始／停止のための信号を送信するネット家電機器制御装置と、前記ネット家電制御装置からの換気の開始／停止信号を受信し換気の開始／停止を行う換気装置により構成されることとすることにより、前記全自動洗濯機が乾燥行程を開始したときに自動的に前記換気装置が換気を開始し、前記全自動洗濯機が乾燥行程を終了したときに自動的に前記換気装置の換気が停止することとなり湿気を帯びた排気を出す乾燥行程時に自動的に換気を行うことができるとともに、乾燥行程以外の行程では、換気装置を動かすことなく、無駄な電気の消費が発生しないようにすることができる。
【００１０】
第２の発明は、特に、第１の発明の全自動洗濯乾燥機の洗濯乾燥行程送信部は洗濯乾燥行程が洗い開始、すすぎ開始、脱水開始、乾燥開始、行程終了と変化するたびに洗濯乾燥行程の進行状況を送信するものとすることにより、前記全自動洗濯機が乾燥行程を開始したときに自動的に前記換気装置が換気を開始し、前記全自動洗濯機が行程終了を含む乾燥行程以外の行程に変わったときに自動的に前記換気装置の換気が停止することとなり湿気を帯びた排気を出す乾燥行程時に自動的に換気を行うことができるとともに、乾燥行程以外の行程では、換気装置を動かすことなく、無駄な電気の消費が発生しないようにすることができる。
【００１１】
第３の発明は、特に、第１または第２の発明のネット家電機器制御装置を前記全自動洗濯乾燥機から乾燥行程開始の信号を受けたときに換気の開始信号を送信し、行程終了の信号を受けたときに換気停止信号を送信するものとすることにより、前記全自動洗濯機が乾燥行程を開始したときに自動的に前記換気装置が換気を開始し、前記全自動洗濯機が行程終了に変わったときに自動的に前記換気装置の換気が停止することとなり湿気を帯びた排気を出す乾燥行程時に自動的に換気を行うことができるとともに、乾燥行程以外の行程では、換気装置を動かすことなく、無駄な電気の消費が発生しないようにすることができる。
【００１２】
第４の発明は、特に、第１〜３のいずれか１つの発明の換気装置を前記ネット家電制御装置より換気開始／終了信号を受けて電源のＯＮ／ＯＦＦを行う電源制御部と電源がＯＮになったときに換気を行う換気扇部からなることとすることにより、前記換気扇部には一般に市販されている換気扇を利用することができることとなり、換気装置の新規開発部分が小さくなるとともに、開発コストを縮小することができる。
【００１３】
第５の発明は、第１〜４記載のいずれか１つの洗濯乾燥システムの機能の少なくとも一部をコンピュータで実現するプログラムである。そして、プログラムであるので、汎用コンピュータやマイコンを用いて本発明の洗濯乾燥システムのネット家電機器制御装置の少なくとも一部を容易に実現することができる。また、記録媒体に記録したり通信回線を用いてプログラムを配信したりすることで、プログラムの配布やインストール作業が簡単にできる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における洗濯乾燥システムの構成図を示すものである。
【００１６】
図１において、全自動洗濯乾燥機１１は洗濯乾燥行程送信部１２を備えており、洗濯乾燥行程の変化をネット家電機器制御装置１３に通知する。ネット家電制御装置１３は、洗濯乾燥行程送信部から送られてくる洗濯乾燥行程の変化を受信し、換気装置１４に対して換気の開始／停止信号を送信する。換気装置１４はネット家電機器制御装置１３から送られてくる換気の開始／終了信号を受信し、換気の開始／停止を行うものである。
【００１７】
以上のように構成された洗濯乾燥システムについて、以下その動作、作用を説明する。
【００１８】
まず、ユーザが全自動洗濯乾燥機１１で洗濯を開始すると、全自動洗濯乾燥機１１は、「洗い行程」を開始する。「洗い行程」が開始されると、全自動洗濯乾燥機１１に内蔵されている洗濯乾燥行程送信部１２は「洗い行程」開始の情報を宅内ネットワークを通じてネット家電機器制御装置１３に送信する。
【００１９】
ここで、宅内ネットワークとしては、エコーネット（Ｒ）などの規格を使うことが考えられるが、特にエコーネット（Ｒ）に限定するものではない。
【００２０】
また、宅内ネットワークの物理的な形態としては、無線や電灯線を使ったネットワーク、イーサネット（Ｒ）ワークなどの形態が考えられる。
【００２１】
ネット家電機器制御装置１３は、全自動洗濯乾燥機１１から洗濯乾燥行程に関する情報を受信すると、洗濯乾燥行程の内容により、換気装置１４に対して、換気の開始や停止の信号を送信する。
【００２２】
図２はネット家電制御装置１３の動作を説明するフローチャートであり、以下、ネット家電制御装置１３の動作をこのフローチャートを用いて説明する。
【００２３】
ネット家電制御装置１３は、全自動洗濯乾燥機１１からの状態変化通知だけではなく、ネット家電制御装置１３が制御する様々なネット家電機器からの状態変化通知を受信する（ステップ１）。ネット家電機器からの状態変化通知を受信すると、その状態変化通知を送信してきた機器を判別し（ステップ２）、全自動洗濯乾燥機１１からのものでなければ、その状態変化通知を送信してきたネット家電機器に応じた処理を行う（ステップ６）。
【００２４】
ネット家電機器に応じた処理については、本発明の主旨とは関係しないので、省略する。
【００２５】
状態変化通知が全自動洗濯乾燥機１１からのものである場合、送られてきた状態変化通知が「乾燥行程」の開始の状態変化通知かどうかを判定する（ステップ３）。受信した状態変化通知が「乾燥行程」の開始の状態変化通知であった場合、換気装置１４に対して、換気開始の信号を宅内ネットワークを通じて送信する（ステップ５）。一方、受信した状態変化通知が「乾燥行程」の開始以外のものであった場合、全自動洗濯乾燥機１１は乾燥行程を行っていないと判断し、換気装置１４に対して、換気停止の信号を宅内ネットワークを通じて送信する（ステップ４）。
【００２６】
換気装置１４は、ネット家電制御装置１３からの換気開始信号を宅内ネットワークを通じて受信すると、換気を開始し、換気停止信号を受信すると換気を停止する。
【００２７】
以上のように、本実施の形態においては全自動洗濯乾燥機１１が洗濯を行っているときに、その洗濯乾燥行程を洗濯乾燥行程送信部１２がネット家電制御装置１３に送信し、ネット家電制御装置１３は全自動洗濯乾燥機１１の洗濯乾燥行程が乾燥行程になったときに換気装置１４に換気開始を指示し、乾燥行程以外の行程になったときに換気装置１４に換気停止を指示することにより、全自動洗濯乾燥機１１が乾燥行程を行っているときだけ換気を行うこととなり、湿気を排出する乾燥行程で換気を行うのを忘れることがなくなるとともに、乾燥行程の時だけ自動的に換気をすることができる。
【００２８】
また、本実施の形態の換気装置１４を図３に示すように、電源のＯＮ／ＯＦＦを制御するコンセントを備えた電源制御部３１と電源制御部３１のコンセントに電源コードを指す換気扇部３２から構成されるものとすることにより、特に、換気扇部３２として、市販の換気扇を利用することが可能となり、換気装置１４の開発コストを押さえることができる。
【００２９】
なお、本実施の形態のネット家電機器制御装置の各部をコンピュータやマイコンによるプログラムで実現してもよい。
【産業上の利用可能性】
【００３０】
以上のように、本発明にかかる洗濯乾燥システムは、全自動洗濯乾燥機が乾燥行程を行っているときに、自動的に換気を行うことが可能であるという特徴を有し、ネット家電システムにおけるネット家電機器同士の連携システム等の用途にも適用できる。
【図面の簡単な説明】
【００３１】
【図１】本発明の実施の形態１における洗濯乾燥システムの構成図
【図２】本発明の実施の形態１におけるネット家電機器制御装置の動作を示したフローチャート
【図３】本発明の実施の形態１における換気装置の構成図
【図４】従来の洗濯乾燥システムの構成図
【符号の説明】
【００３２】
１１  全自動洗濯乾燥機
１２  洗濯乾燥行程送信部
１３  ネット家電機器制御装置
１４  換気装置
３１  換気装置における電源制御部
３２  換気装置における換気扇部
４１  衣類乾燥機
４２  乾燥機用コンセント
４３  電流検知センサー
４４  換気扇
【図１】
2005110912.tif 000003
【図２】
2005110912.tif 000004
【図３】
2005110912.tif 000005
【図４】
2005110912.tif 000006